(57)【特許請求の範囲】
【請求項１】
携帯無線通信機からの接続要求に対し、VoIP(Voice over IP)ネットワークに接続可能な携帯無線通信機を示す登録情報に基づいて認証し、正当である旨の認証結果を得た場合に当該ネットワークへの接続を確立するアクセスポイントと、携帯無線通信機とを含む通信システムであって、
前記携帯無線通信機は、
電話番号の入力を受付ける番号受付手段と、
受付けた電話番号が所定の緊急用番号であるか否か判断する判断手段と、
前記緊急用番号であると判断された場合に、自機が認識したアクセスポイントのうちのいずれかに、緊急通話であることを示す緊急接続要求を送出し、前記緊急用番号でないと判断された場合に、自機が認識したアクセスポイントのうち、予め登録されているアクセスポイントに、緊急通話でないことを示す非緊急接続要求を送出する接続要求手段とを備え、
前記アクセスポイントは、
前記携帯無線通信機から前記接続要求を受付ける接続要求受付手段と、
前記緊急接続要求を受付けた場合、前記認証を行わず前記ネットワークへの接続を確立する接続手段とを備え、
前記携帯無線通信機は、前記アクセスポイントを介して前記ネットワークに接続することができると共に、基地局を介して電話網に接続することができ、
前記接続要求手段は、
前記緊急用番号であると判断された場合には、前記アクセスポイントを介しての前記ネットワークへの接続と、前記基地局を介しての電話網への接続とのうち、最初に、当該基地局を介しての電話網への接続を試みるために、当該基地局との接続を試行し、当該基地局と接続できない場合に、前記緊急接続要求を送出し、
前記緊急用番号でないと判断された場合には、前記基地局との接続を試行することなく、前記非緊急接続要求を送信する
ことを特徴とする通信システム。
【請求項２】
前記通信システムは、更に
それぞれが異なるエリアに設置され、前記ネットワークと前記電話網とを接続するための複数のゲートウェイを含んでおり、
前記接続要求手段は、自機の位置を示す位置情報を、前記緊急接続要求に含めて送出し、
前記接続手段は、受付けた前記緊急接続要求に含まれている前記位置情報が示す位置に対応するエリアに設置されているゲートウェイとの接続を確立する
ことを特徴とする請求項１記載の通信システム。
【請求項３】
携帯無線通信機からの接続要求に対し、VoIPネットワークに接続可能な携帯無線通信機を示す登録情報に基づいて認証し、正当である旨の認証結果を得た場合に当該ネットワークへの接続を確立するアクセスポイントであって、
前記携帯無線通信機から緊急通報か否かを示す情報と相手先電話番号とを含む接続要求を受付ける接続要求受付手段と、
前記接続要求に緊急通報であることを示す情報が含まれている場合に、前記認証を行わず前記ネットワークの接続を確立する接続手段と
を備え、
前記携帯無線通信機は、前記アクセスポイントを介して前記ネットワークに接続することができると共に、基地局を介して電話網に接続することができ、前記緊急通報である場合には、前記アクセスポイントを介しての前記ネットワークへの接続と、前記基地局を介しての電話網への接続とのうち、最初に、当該基地局を介しての電話網への接続を試みるために、基地局との接続を試行し、当該基地局と接続できない場合に、自機が認識したアクセスポイントのいずれかに緊急通報であることを示す情報を含む接続要求を送信し、前記緊急通報でない場合には、前記基地局との接続を試行することなく、自機が認識したアクセスポイントのうち、予め登録されているアクセスポイントに緊急通報でないことを示す情報を含む接続要求を送信する
ことを特徴とするアクセスポイント。
【請求項４】
アクセスポイントを介してVoIPネットワークに接続し、通信する携帯無線通信機であって、
電話番号の入力を受付ける番号受付手段と、
受付けた電話番号が所定の緊急用番号であるか否か判断する判断手段と、
前記緊急用番号であると判断された場合に、接続可能なアクセスポイントを検索し、検索したアクセスポイントのうちのいずれかを選択し、前記緊急用番号でないと判断された場合に、接続可能なアクセスポイントを検索し、検索したアクセスポイントのうち、予め登録されている登録アクセスポイントを選択する選択手段と、
前記緊急用番号であると判断された場合には、選択したアクセスポイントに、緊急通話であることを示す情報を含む緊急接続要求を、前記緊急用番号でないと判断された場合には、選択した登録アクセスポイントに、前記情報を含まない非緊急接続要求を送出する接続要求手段と、
を備え、
前記携帯無線通信機は、前記アクセスポイントを介して前記ネットワークに接続することができると共に、基地局を介して電話網に接続することができ、
前記接続要求手段は、
前記緊急用番号であると判断された場合には、前記アクセスポイントを介しての前記ネットワークへの接続と、前記基地局を介しての電話網への接続とのうち、最初に、当該基地局を介しての電話網への接続を試みるために、当該基地局との接続を試行し、当該基地局と接続できない場合に、選択したアクセスポイントに前記緊急接続要求を送信し、
前記緊急用番号でないと判断された場合には、当該基地局との接続を試行することなく、前記登録アクセスポイントに前記非緊急接続要求を送信する
ことを特徴とする携帯無線通信機。
【請求項５】
前記選択手段は、前記緊急用番号であると判断された場合に検索したアクセスポイントのうち、当該アクセスポイントからの電波の電界強度が高いアクセスポイントを選択すること
を特徴とする請求項４記載の携帯無線通信機。
【請求項６】
プログラムを実行可能であり、所定の緊急用電話番号を記憶し、電話番号の入力を受付け、アクセスポイントを介してVoIPネットワークに接続して受付けた電話番号が示す相手先と通信する携帯無線通信機におけるプロセッサに制御処理を実行させるための制御プログラムであって、
前記制御処理は、
受付けた電話番号が前記緊急用番号であるか否か判断する判断ステップと、
前記緊急用番号であると判断された場合に、接続可能なアクセスポイントを検索し、検索したアクセスポイントのうちのいずれかを選択し、前記緊急用番号でないと判断された場合に、接続可能なアクセスポイントを検索し、検索したアクセスポイントのうち、予め登録されている登録アクセスポイントを選択する選択ステップと、
前記緊急用番号であると判断された場合には、選択したアクセスポイントに、緊急通話であることを示す情報を含む緊急接続要求を、前記緊急用番号でないと判断された場合には、選択した登録アクセスポイントに、前記情報を含まない非緊急接続要求を送出する接続要求ステップと、
を含み、
前記携帯無線通信機は、前記アクセスポイントを介して前記ネットワークに接続することができると共に、基地局を介して電話網に接続することができ、
前記接続要求ステップは、前記緊急用番号であると判断された場合には、前記アクセスポイントを介しての前記ネットワークへの接続と、前記基地局を介しての電話網への接続とのうち、最初に、当該基地局を介しての電話網への接続を試みるために、当該基地局との接続を試行し、当該基地局と接続できない場合に、選択したアクセスポイントに前記緊急接続要求を送信し、前記緊急用番号でないと判断された場合には、当該基地局との接続を試行することなく、前記登録アクセスポイントに前記非緊急接続要求を送信する
ことを特徴とする制御プログラム。
【発明の詳細な説明】
【技術分野】
【０００１】
本発明は、VoIP(Voice over IP)ネットワークで通信可能な携帯電話機等の携帯無線通信機及び通信システムに関し、特に緊急通報する場合の技術に関する。
【背景技術】
【０００２】
従来、VoIPネットワークでの電話通信(以下、「VoIP通信」と言う。)により緊急通報を行う技術が特許文献１に開示されている。
特許文献１の技術は、ユーザがVoIPネットワークを介してIP電話端末から緊急通報を行う場合に、例えば警察や消防等の緊急通報先の電話番号と位置情報とを含むIPパケットをVoIPネットワークに送信し、その位置情報と対応する予め設定されたエリアの緊急通報施設との接続を確立して通話を行わせるものである。これは、緊急電話番号に地域を特定する情報が含まれていないことによって、VoIP通信では適切な地域の通報先施設へ通報されない等、緊急時における即時性の問題を考慮してなされたものである。
【０００３】
ところで、VoIP通信には、インターネットで音声パケットを送受信するものと、通信事業者が専用に構築したIPネットワーク上で音声パケットを送受信するものがあり、最近では通信費低減という利点により、事業者の提供するIPネットワークによるVoIP通信の利用が増加しており、ユーザは通信事業者と契約すればその事業者のIPネットワークに接続して通話を行うことができる。また、固定電話機だけでなく携帯電話機等の移動体端末でもVoIP通信できるものが提案されており、ユーザは外出先で契約している通信事業者のアクセスポイントに無線接続することにより、その通信事業者のIPネットワークに接続して通話を行うことができる。
【特許文献１】特開2003-198757号公報
【発明の開示】
【発明が解決しようとする課題】
【０００４】
しかしながら、ユーザが外出先等で携帯電話機等を用いて緊急通報を行う際、その外出先の近辺に自分が契約している事業者のアクセスポイントが設置されていない場合や、設置されていたとしても電波強度が弱く通話することが困難な場合もあり、その携帯電話機等で緊急通報を行うことができないという問題がある。
本発明は、上記問題に鑑みてなされたものであり、緊急時においてもVoIP通信により緊急通報しうる通信システムを提供することを目的とする。
【課題を解決するための手段】
【０００５】
上記課題を解決するために、本発明に係る通信システムは、携帯無線通信機からの接続要求に対し、VoIP(Voice over IP)ネットワークに接続可能な携帯無線通信機を示す登録情報に基づいて認証し、正当である旨の認証結果を得た場合に当該ネットワークへの接続を確立するアクセスポイントと、携帯無線通信機を含む通信システムであって、前記携帯無線通信機は、電話番号の入力を受付ける番号受付手段と、受付けた電話番号が所定の緊急用番号であるか否か判断する判断手段と、前記緊急用番号であると判断された場合に、自機が認識したアクセスポイントのうちのいずれかを選択し、選択したアクセスポイントに、緊急通話であることを示す緊急接続要求を送出する接続要求手段とを備え、前記アクセスポイントは、前記携帯無線通信機から前記接続要求を受付ける接続要求受付手段と、前記緊急接続要求を受付けた場合、前記認証を行わず前記ネットワークへの接続を確立する接続手段とを備えることを特徴とする。
【０００６】
また、本発明に係るアクセスポイントは、携帯無線通信機からの接続要求に対し、VoIPネットワークに接続可能な携帯無線通信機を示す登録情報に基づいて認証し、正当である旨の認証結果を得た場合に当該ネットワークへの接続を確立するアクセスポイントアクセスポイントであって、携帯無線通信機から緊急通報か否かを示す情報と相手先電話番号とを含む接続要求を受付ける接続要求受付手段と、前記接続要求が緊急通報であることを示す接続要求である場合、前記認証を行わず前記ネットワークの接続を確立する接続手段とを備える。
【０００７】
また、本発明に係る携帯無線通信機は、アクセスポイントを介してVoIPネットワークに接続し、通信する携帯無線通信機であって、電話番号の入力を受付ける番号受付手段と、受付けた電話番号が所定の緊急用番号であるか否か判断する判断手段と、前記緊急用番号である場合、接続可能なアクセスポイントを検索し、検索したアクセスポイントのいずれかのアクセスポイントを選択する選択手段と、選択したアクセスポイントに、緊急通話であることを示す接続要求を送出する接続要求手段とを備える。
【０００８】
尚、自機が認識したアクセスポイントとは、アクセスポイントからのビーコン信号やプローブ応答信号等を受信してアクセスポイントを特定しうる情報、例えばアクセスポイントのSSID(Service Set Identifier)やESSID(Extended Service Set Identifier)等を取得できたアクセスポイントを示している。
また、携帯無線通信機と緊急通報先との間の接続を確立するとは、アクセスポイントから緊急通報先が接続された電話網とIPネットワークの接点となるゲートウェイまでの接続を確立することである。
【発明の効果】
【０００９】
上述の構成によって、本発明に係る通信システムは、例えば携帯無線通信機が携帯電話機等の電話機能を備えており、携帯電話網での緊急通報が困難な状況のとき、携帯無線通信機は、緊急通報であることを示す接続要求をその周辺に設置されたアクセスポイントの一つに送出し、アクセスポイントは緊急通報の接続要求であれば、IPネットワークを利用する正当な権限を有する携帯無線通信機か否かに関わらず、緊急通報先と携帯無線通信機との間の接続を確立することができる。そのため、緊急通報時においてユーザが契約している事業者のアクセスポイントがその周辺に設置されていない場合や電波強度が弱い等でIP通信することが困難なときでも、他の事業者のアクセスポイントを介して緊急通報することができる。
【００１０】
また、前記選択手段は、前記認識したアクセスポイントのうち、当該アクセスポイントからの電波の電界強度が高いアクセスポイントを選択することとしてもよい。
この構成によれば、ユーザが緊急通報時、その周辺に設置されたアクセスポイントのうち、受信電波の電界強度の高いアクセスポイントに接続要求を送出することができるので、緊急時の通話が途切れる等の障害の発生をできるだけ低減させることができる。
【００１１】
また、前記携帯無線通信機は、基地局を介して電話網に接続することができ、前記接続要求手段は、基地局との接続を試行し、当該基地局と接続できない場合に、前記認識したアクセスポイントのいずれかを選択することとしてもよい。
基地局を介して携帯電話網に接続することができる機能も備えた携帯無線通信機の場合、この構成によれば、緊急通報の際に、その周辺にユーザが加入している事業者の基地局との接続ができなければ、VoIPネットワークに接続することができる。そのため、緊急時、最初に携帯電話網を通じてその周辺の警察や消防等の緊急通報施設に直接通報することができるので、緊急時の即時性を優先しつつ、出来る限りユーザが移動等行うことなくその場で緊急通報を行うことができる。
【発明を実施するための最良の形態】
【００１２】
＜実施の形態＞
以下、本発明の実施形態に係る携帯電話機について説明する。
＜概要＞
図５は、IP通信ネットワークの例を示しており、同図において携帯電話機１００は本実施の形態に係る携帯電話機であり、IPネットワーク２０が、携帯電話機１００を所有するユーザによって契約された通信事業者が提供するIPネットワーク(以下、「契約IPネットワーク」と言う。)であり、AP(B)４００はそのIPネットワーク４０と接続するためのアクセスポイントを示している。
【００１３】
他のIPネットワーク２０及び３０と、AP(A)２００及びAP(C)３００は、未契約の通信事業者のIPネットワークと各々に接続されたアクセスポイントである。
また、各IPネットワークは、IPネットワークに接続するための認証や呼設定等を行うための呼制御サーバ２２、３２、４２を各々接続し、公衆電話網１０と接続するためのゲートウェイ２１、３１、４１を各々設置しており、公衆電話網１０と警察や消防等の緊急通報先１１〜１３の電話機が図示しない交換機を介して接続されている。
【００１４】
尚、本実施の形態に係る携帯電話機１００は、図示しない基地局を介して公衆電話網１０に接続する携帯電話機能と、契約IPネットワークと接続されたAP(B)４００等の契約APを介してIPネットワーク４０に接続するVoIP通信機能を備えている。
本実施の形態に係る通信システムでは、携帯電話機１００は、ユーザから１１０や１１９などの特定の緊急用番号を受付けた場合、携帯電話機能により公衆電話網に緊急用番号で示される緊急通報先へ接続を試行する。受信強度が弱い等の理由で基地局と通信できないときには、その近辺の契約AP及び未契約APを含むアクセスポイントを検索して受信強度の高いアクセスポイントを選択し、そのアクセスポイントに緊急通報を示す接続要求を送出する。
【００１５】
各アクセスポイントは、携帯電話機１００から緊急通報を示す接続要求を受付けた場合に限り、契約済か否かに関わらず携帯電話機１００にIPネットワークの接続を許可して緊急通報先との間の接続を確立する。
尚、本実施の形態では、緊急通報でない通常の接続要求を受付けた場合には、従来のH.323プロトコルに準拠した通信方式で、契約済の携帯電話機に限りIPネットワークへの接続を許可するものとし、呼確立要求等の呼制御メッセージはアクセスポイントと相手先電話機又はゲートウェイと直接交換するダイレクトシグナリングの形態を用いるものとして説明する。
【００１６】
＜構成＞
図１は、上述した図５に示す携帯電話機１００とアクセスポイントの機能構成図である。尚、本実施の形態において、図４に示す各アクセスポイントは同様の構成であるため、AP(A)２００のアクセスポイントのみ説明する。
＜1.携帯電話機１００＞
携帯電話機１００は、H.323に対応しており、入力受付部１１０、記憶部１２０、通信部１３０、音声処理部１４０、無線通信部１５０、及び制御部１６０で構成されている。
【００１７】
以下、各部について説明する。
(入力受付部１１０)
入力受付部１１０は、複数の数字キー等の操作ボタンで構成されており、ユーザによって押下されたボタンに対応する信号を制御部１６０に送出する機能を有する。
(記憶部１２０)
記憶部１２０は、ハードディスク等の記憶媒体で構成されており、通信相手の電話番号等のユーザデータと、１１０や１１９等の予め定められた緊急用電話番号を示す緊急番号情報と、契約IPネットワークと接続されたアクセスポイントのSSIDやMACアドレス等を示す契約AP情報を記憶する機能を有する。
【００１８】
(通信部１３０)
通信部１３０は、アンテナ１３１を介して基地局と通信して電話網へ接続し、音声処理部１４０から出力された音声信号を送信し、アンテナ１３１から音声信号を受信して音声処理部１４０へ送出する機能を有する。
(音声処理部１４０)
音声処理部１４０は、通信部１３０によって取得された音声信号を復調して制御部１６０へ送出し、制御部１６０からの音声信号をＤ／Ａ変換してスピーカ１４２へ出力する機能と、マイク１４１から取得した音声信号をＡ／Ｄ変換して変調し、通信部１３０へ出力する機能を有する。
【００１９】
(無線通信部１５０)
無線通信部１５０は、アンテナ１５１を介してアクセスポイントにIEEE802.11等の規格に準拠した無線接続を行う機能を有している。
具体的には、アクセスポイントから送出されるビーコン信号を取得して制御部１６０へ送出し、制御部１６０により指示されたアクセスポイントへ接続要求を送出する。また、アクセスポイントを介してIPネットワークに接続した際、通信相手から音声パケットを受信して制御部１６０へ送出し、制御部１６０から入力された音声パケットをアクセスポイントを介して通信相手に送信する。
【００２０】
(制御部１６０)
制御部１６０は、ＣＰＵ及びメモリ(ＲＯＭ及びＲＡＭ)を含み、携帯電話機１００の各部を制御する機能を有し、通信制御部１６１、AP選択部１６２、接続要求部１６３、及び音声パケット変換部１６４を含んで構成されている。
ここで、通信制御部１６１は、ユーザによる通信切換操作又はユーザによって入力された電話番号が上述した緊急番号情報で示される番号であるか否かに応じて、通信部１３０及び無線通信部１５０のいずれかを選択し、各部に通信を行わせる機能を有する。
【００２１】
AP選択部１６２は、無線通信部１５０に受信されたビーコン信号から現在位置周辺のアクセスポイントを特定し、受信したビーコン信号の電界強度を検出する機能を有する。また、接続要求部１６３の指示に応じてアクセスポイントを選択し、選択したアクセスポイントを示す情報を接続要求部１６３に送出する機能を有する。
接続要求部１６３は、入力受付部１１０が受付けた電話番号が緊急用電話番号であるか否かに応じて、AP選択部１６２によって特定されたアクセスポイントのうち、電界強度の高いアクセスポイント又は契約AP情報に登録されているアクセスポイントをAP選択部１６２に選択させる機能と、選択されたアクセスポイントへ緊急用接続要求か否かを識別する緊急フラグを含む接続要求を送信する機能を有する。
【００２２】
尚、接続要求は、従来のIEEE802.11で規定されている管理フレームのフレーム本体に緊急フラグを付加することにより実現できる。
また、接続要求部１６３は、接続要求を送出後、所定時間内にアクセスポイントから接続要求に対する応答信号を受信できたか否かにより、音声パケットを無線通信部１５０から送出して通話を開始する機能を有する。
【００２３】
音声パケット変換部１６４は、音声処理部１４０から入力される音声信号の圧縮符号化や、無線通信部１５０が受信した音声パケットの伸長復号化を行うCODEC(CORDER/DECORDER)機能と、符号化した音声信号をRTP(Real-time Transport Protocol) 等を用いてパケット化する機能と、音声パケットを無線通信部１５０へ送出する機能と、復号した音声信号を音声処理部１４０へ送出する機能とを有する。
＜2.AP(A)２００＞
AP(A)２００は、IPネットワーク２０と接続されており、記憶部２１０、無線通信部２２０、IPネットワーク通信部２３０、及び制御部２４０を含んで構成されている。
【００２４】
以下、各部について説明する。
(記憶部２１０)
記憶部２１０は、ハードディスク等の記録媒体で構成され、携帯電話機１００からの接続要求が緊急通報による緊急接続要求か否かに応じて異なる接続先を対応付けた接続情報を記憶する機能を有する。
【００２５】
(無線通信部２２０)
無線通信部２２０は、携帯電話機１００からの接続要求をアンテナ２２１を介して受付け、制御部２４０へ送出する機能と、携帯電話機１００とIPネットワーク２０との間の接続を中継する機能とを有する。
(IPネットワーク通信部２３０)
IPネットワーク通信部２３０は、IPネットワーク２０への通信インタフェースであり、制御部２４０の指示に応じて、携帯電話機１００と緊急通報先又はIPネットワーク上の相手先との間の接続を行い、音声パケットや呼制御メッセージ等を送受信する機能を有する。
【００２６】
(制御部２４０)
制御部２４０は、ＣＰＵ及びメモリ(ＲＯＭ及びＲＡＭ)を含み、AP(A)２００の各部を制御する機能と、無線通信部２２０が取得した接続要求が緊急接続要求であるか否かを判断する機能を有する。
また、接続要求が緊急用接続要求である場合には、接続情報に基づく接続先のIPアドレスを含む応答信号を携帯電話機１００に送出する機能と、通常の接続要求である場合には、呼制御サーバ２００に要求元の認証及び相手先IPアドレスのアドレス解決を要求し、呼制御サーバ２００から認証結果と相手先IPアドレスを取得し、要求元が正当であるとの認証結果を得た場合には、呼制御サーバ２００から取得した相手先IPアドレスを含む応答信号を要求元へ送出する機能を有する。
【００２７】
また、相手先IPアドレスに呼確立要求を送出し、相手先から呼確立要求に対する応答を取得し、相手先との接続を確立する機能を有する。
更に、携帯電話機から通話終了を示す信号を無線通信部２２０から受付け、相手先の電話機又はゲートウェイにセッション終了メッセージを送出し、相手先からも同様にセッション終了メッセージを受付け、携帯電話機と相手先との接続を切断する機能を有する。
【００２８】
＜3.呼制御サーバ２２＞
呼制御サーバ２２は、H.323のゲートキーパで実現され、IPネットワーク２０に接続を許可する契約済携帯電話機を認証するための登録情報を保持しており、その接続要求元の携帯電話機が登録情報に登録されているか否か認証する機能と、登録されている場合に、アクセスポイントから取得した相手先電話番号を対応するIPアドレスに変換し、IPアドレスと共に接続要求元が正当である旨の認証結果をアクセスポイントに送出する機能を有する。
【００２９】
＜4.ゲートウェイ(A)２１０＞
ゲートウェイ(A)２１０は、IPネットワーク２０と公衆電話網１０とを接続するH.323ゲートウェイであり、IPネットワーク２０に接続されたアクセスポイントと公衆電話網１０に接続された電話機双方の呼制御と接続切断機能を有する。
＜データ＞
以下、上記の通信システムで用いるデータについて説明する。
【００３０】
図２(ａ)は、携帯電話機１００が緊急通報の際にアクセスポイントへ送出する接続要求管理フレームのフレーム本体に格納する接続要求データを示しており、携帯電話機１００は、同図に示すフレーム本体と、アクセスポイントのMACアドレスや携帯電話機１００のMACアドレス等の情報を含むMACヘッダと、FCS(Frame check Sequence)をアクセスポイントに送出する。
【００３１】
接続要求データ５００は、緊急フラグ５１０、SSID５２０、相手先電話番号５３０、固有電話番号５４０で構成されている。
本実施の形態では、接続要求データ５００は、緊急用番号がユーザから入力された場合には、接続要求部１６３により緊急フラグ５１０に“１”が格納され、緊急用番号でない場合には“0”が格納される。また、接続要求部１６３により、SSID５２０に選択したアクセスポイントのSSIDが格納され、相手先電話番号５３０にはユーザから入力された電話番号が格納され、固有電話番号５４０には自機に設定されたIP電話番号が格納される。
【００３２】
同図(ｂ)は、呼制御サーバ２２が記憶している登録情報テーブルの構成を例示した図である。
登録情報テーブル６００は、MACアドレス６１０、IPアドレス６２０、及び固有電話番号６３０とを対応付けて記憶している。
MACアドレス６１０は、IPネットワーク２０の接続を許可された契約済携帯電話機のMACアドレスであり、IPアドレス６２０は、IPネットワーク２０においてその契約済携帯電話機に割当てられているIPアドレスである。また、固有電話番号６３０は、IPネットワーク２０におけるその契約済携帯電話機の例えば「050」で始まるIP電話番号である。
【００３３】
同図(ｃ)は、AP(A)２００が記憶している接続情報テーブルの構成を例示した図である。
接続情報テーブル７００は、緊急フラグ７１０と接続先７２０とを対応づけて記憶しており、緊急フラグ７１０は、接続要求に係る緊急フラグを示しており、接続先７２０は、接続要求に係る緊急フラグの値に応じたIPネットワーク２０上の接続先を示している。
【００３４】
図５に示す通信ネットワークの場合、緊急フラグ７１０が「１」、つまり緊急通報時は、AP(A)２００は、公衆電話網１０と接続されたゲートウェイ(A)２１０のIPアドレスに呼確立要求を送出し、ゲートウェイ(A)２１０を介して緊急通報先と接続する。
また、緊急フラグ７１０が「０」、つまり通常通話時は、AP(A)２００は、呼制御サーバ２２のIPアドレスに接続要求元の認証と相手先のIPアドレスを要求し、接続要求元が正当であれば相手先に呼確立要求送出する。
【００３５】
＜動作＞
以下、上述した通信システムの動作を図５に示す通信ネットワークの例を用いて説明する。
図３及び図４は、本実施の形態に係る携帯電話機１００及びアクセスポイントの動作フロー図を示しており、同図に即して説明する。
【００３６】
尚、図５に示す携帯電話機１００の近辺に存在する各アクセスポイントの受信強度は、AP(A)２００→AP(C)３００→AP(B)４００の順に大きいものとして説明する。
図３のステップＳ０１において、携帯電話機１００の接続要求部１６３は、ユーザから入力受付部１１０を介して電話番号の入力を受付けると、受付けた電話番号が緊急番号情報で示す緊急用電話番号か否か判断する(ステップＳ０２)。
【００３７】
ステップＳ０２において、受付けた電話番号が緊急用電話番号と一致すると判断された場合(ステップＳ０２:Ｙ)、通信制御部１６１は通信部１３０を起動させ、通信部１３０から基地局へ受付けた電話番号への接続を要求する(ステップＳ０３)。
続いて通信部１３０は、ステップＳ０３で接続要求を行った基地局との通信が可能か否か判断し(ステップＳ０４)、基地局からの電波の電界強度が低い等により通信できないと判断した場合(ステップＳ０４:Ｎ)、通信制御部１６１は、通信部１３０による基地局へのアクセスを中止し、無線通信部１５０を起動させる。
【００３８】
無線通信部１５０は、AP(A)２００、AP(B)３００、AP(C)４００の各々から所定周期で送出されるビーコン信号を受信し、ビーコン信号から各アクセスポイントのSSIDやMACアドレス等のアクセスポイントを特定しうる情報を取得して接続可能なアクセスポイントを検索し、AP選択部１６２に送出する(ステップＳ０５)。
AP選択部１６２は、ステップＳ０５で取得されたMACアドレスやSSID等の情報で示される各アクセスポイントのうち、ビーコン信号の電界強度が高いAP(A)２００を選択する(ステップＳ０６)。
【００３９】
接続要求部１６３は、ステップＳ０６で選択されたAP(A)２００に対して、緊急フラグ５１０に“１”を格納した接続要求５００にMACヘッダ等を付加して送出する(ステップＳ０７)。
アクセスポイントAP(A)２００の制御部２４０は、無線通信部２２０を介して携帯電話機１００から接続要求５００を受信した場合(ステップＳ２１：Ｙ)、接続要求５００の緊急フラグ５１０を参照し緊急接続要求か否か判断する(図４：ステップＳ２２)。
【００４０】
図４において、アクセスポイントAP(A)２００の制御部２４０は、緊急フラグ５１０が「１」である場合に緊急接続要求であると判断し(ステップＳ２２:Ｙ)、接続情報テーブル７００の緊急フラグ５１０「1」に対応するゲートウェイ(A)２１に呼確立要求を送出し、呼確立要求に対する応答信号をゲートウェイ(A)２１からIPネットワーク通信部２３０を介して受付けて相手先との接続を確立し、ゲートウェイ(A)のIPアドレスを含む応答信号を無線通信部２２０から携帯電話機１００へ送出する(ステップＳ２３)。
【００４１】
携帯電話機１００の接続要求部１６３は、AP(A)２００から無線通信部１５０を介して応答信号を受付けると(ステップＳ０８:Ｙ)、無線通信部１５０から音声パケットを送出して通話を開始し(ステップＳ０９)、ユーザが通話を終了したとき、AP(A)２００に電話接続の切断要求を送出する(ステップＳ１０)。
AP(A)２００は、携帯電話機１００から切断要求を受付けるとゲートウェイ(A)２１０にセッション終了を示す終了要求を送出し、ゲートウェイ(A)２１０からも終了要求を受付けて接続を切断する(ステップＳ２４)。
【００４２】
また、図４のステップＳ０８において、無線通信部１５０がAP(A)２００から所定時間内に応答信号を受付けなかった場合(ステップＳ０８:Ｎ)、AP選択部１６２は、AP(A)２００を除いてステップＳ０５(図３)以下の処理を行う。
また、図３のステップＳ０２において、携帯電話機１００の接続要求部１６３は、緊急フラグ５１０が「０」である場合に緊急通報でないと判断し(ステップＳ０２:Ｎ)、接続要求部１６３は契約IP情報のアクセスポイントを選択するようAP選択部１６２に指示し、AP選択部１６２はアクセスポイントを検索し(ステップＳ１２)、検索したアクセスポイントのうち契約IP情報に登録されているAP(C)４００を選択する(ステップＳ１３)。
【００４３】
接続要求部１６３は、ステップＳ１３で選択されたAP(C)４００へ緊急フラグ５１０に“０”を格納した接続要求を送出し(ステップＳ０７)、ステップＳ０８以下の処理を行う。
また、図４のステップＳ２２において、アクセスポイントAP(C)４００の制御部２４０は、ステップＳ０７で携帯電話機１００から受付けた接続要求５００の緊急フラグ５１０が「０」である場合に緊急接続要求でないと判断し(ステップＳ２２:Ｎ)、呼制御サーバ２２に携帯電話機１００のMACアドレスと相手先電話番号と固有電話番号をIPネットワーク通信部２３０から送出し、呼制御サーバ２２から認証結果と通信相手のIPアドレスを取得する(ステップＳ２５)。
【００４４】
ステップＳ２５の認証結果が登録済電話機を示す結果の場合(ステップＳ２６:Ｙ)、AP(C)４００の制御部２４０は、相手先IPアドレスへ呼確立要求を送出して接続を確立し、携帯電話機１００に相手先のIPアドレスを含む応答信号を無線通信部２２０から送出し(ステップＳ２３)、ステップＳ２４以下の処理を行う。
尚、ステップＳ２６で得た認証結果が登録済電話機でないことを示している場合(ステップＳ２７:Ｎ)、AP(C)４００の制御部２４０は接続要求に対する応答信号を送出せずに終了する。
【００４５】
＜補足＞
以上、本発明に係る通信システムについて実施の形態に基づいて説明したが、以下のように変形することもでき、本発明は上述の実施の形態で示した通信システムに限られないことは勿論である。
(1)上述した実施の形態では、ダイレクトシグナリング方式を用いた場合について説明したが、呼制御サーバを経由してシグナリング制御を行うこととしてもよい。
【００４６】
この場合、アクセスポイントが携帯電話機から接続要求を取得したとき、緊急用接続要求であれば呼制御サーバに携帯電話機の呼制御アドレスを送出して登録要求を行い、通常の接続要求であれば認証要求も行う。
呼制御サーバは、携帯電話機の呼制御アドレスの登録を行い、登録応答信号をアクセスポイントに送出する。尚、認証要求を受付けている場合には、実施の形態と同様に、登録要求に係る携帯電話機の認証を行い、認証結果をアクセスポイントに送出する。
【００４７】
アクセスポイントは、登録応答信号を受付けると、緊急接続要求の場合又は正当であるとの認証結果を得た場合に、相手先電話番号等を含む呼受付判断要求メッセージを呼制御サーバに送出し、呼制御サーバは、相手先のIPアドレスを含む呼受付判断確認メッセージをアクセスポイントに送出する。
アクセスポイントは、相手先との間の呼確立要求を呼制御サーバに送出し、呼制御サーバは相手先に呼確立要求を送出する。アクセスポイントは、相手先から呼制御サーバを介して呼確立要求に対する呼確立確認を受付け、携帯電話機に相手先IPアドレスを含む応答信号を送出する。
【００４８】
携帯電話機は応答信号を受付けると、相手先IPアドレスとの間でセッションの確立を行って通話を開始する。
(2)また、実施の形態では、H.323プロトコルに準拠した通信システムを用いて説明したが、SIP(Session Initiation Protocol)による通信システムであってもよいし、MGCP(Media Gateway Control Protocol)やH．248/MEGACO(MEDIA GATEWAY CONTROL)等を用いた通信システムであってもよい。
【００４９】
一例としてSIPを用いた場合の緊急通報について説明する。
この場合、携帯電話機及び呼制御サーバはSIPに対応しており、携帯電話機からアクセスポイントへ接続要求を行うと、アクセスポイントは緊急接続要求であれば携帯電話機に応答信号を送出し、ゲートウェイを介して緊急通報先と接続を確立するためのINVITEメッセージを携帯電話機から受付ける。
【００５０】
アクセスポイントは、受付けたINVITEメッセージをSIPサーバへ送出し、SIPサーバからゲートウェイにINVITEメッセージを送出し、ゲートウェイから緊急通報先へ接続を確立する。
その後、アクセスポイントは、ゲートウェイから送出されたOKメッセージをSIPサーバを介して受付け、アクセスポイントから携帯電話機にOKメッセージを送出し、携帯電話機から送出されたackメッセージをアクセスポイントが受付けてSIPサーバに送出し、SIPサーバからゲートウェイにackメッセージを送出し、携帯電話機と相手先との間で通話を開始する。
【００５１】
(3)また、実施の形態では、接続要求元の携帯電話機の認証を呼制御サーバで行うものとして説明したが、アクセスポイントが認証情報を保持し、要求元の携帯電話機の認証を行うこととしてもよい。
(4)また、実施の形態では、IPネットワークと公衆電話網との接点に設置されているゲートウェイが一つしかない場合について説明したが、エリア毎に複数のゲートウェイを設置していることとしてもよい。この場合、例えば、各アクセスポイントは、自装置が設置されているエリア周辺のゲートウェイのIPアドレスを記憶し、緊急用接続要求を受付けた場合に、その記憶しているゲートウェイのIPアドレスを選択し、そのIPアドレスを含む応答信号を要求元に送出する。
【００５２】
尚、この場合、携帯電話機は、自機に搭載したGPSから接続要求元の位置情報を取得する等、緊急通報を行ったユーザの位置を特定しうる情報を接続要求に含めてアクセスポイントに送出し、アクセスポイントは接続要求に含まれた位置情報に対応するエリアに設置されたゲートウェイを選択することとしてもよい。
(5)また、実施の形態では、各通信事業者のIPネットワークと公衆電話網が接続された通信ネットワークの例を用いて説明したが、通信事業者のIPネットワークとインターネットと公衆電話網が接続されている通信ネットワークでも同様に適用できる。
【００５３】
(6)また、実施の形態では、携帯電話機はアクセスポイントからのビーコン信号を取得してアクセスポイントを特定するものとして説明したが、携帯電話機からプローブ要求をブロードキャストし、そのプローブ要求に対する応答信号を取得してアクセスポイントを特定してもよい。
(7)また、実施の形態では、アクセスポイントが接続要求を受付けた後、相手先へ呼確立要求を送出して相手先との接続を確立するものとして説明したが、携帯電話機から相手先に対して呼確立要求を行うこととしてもよい。この場合、携帯電話機は、接続要求に対する相手先のIPアドレスを含む応答信号をアクセスポイントから受付けた後、アクセスポイントを介してその相手先IPアドレスに呼確立要求を送出し、アクセスポイントを介して相手先から呼確立要求に対する応答信号を受付け、相手先とセッションを確立して通話を開始する。
【００５４】
(8)また、携帯電話機における各処理(図３、図４)をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ等がある。流通、頒布されたプログラムはプロセッサに読み出され得るメモリ等に格納されることにより利用に供され、そのプロセッサがそのプログラムを実行することにより実施形態で示した携帯電話機の機能が実現されるようになる。
【００５５】
(9)また、上述の実施の形態では、携帯電話機を用いて説明したが、無線通信機能を備えたPDA(Personal Digital Assistant)等の携帯情報端末であってもよい。
【産業上の利用可能性】
【００５６】
本発明に係る通信システムは、VoIPを用いた通信を行うことができる携帯電話機等の携帯無線通信機及びアクセスポイントを含むVoIPネットワークシステムに利用され得る。
【図面の簡単な説明】
【００５７】
【図１】本発明に係る通信システムの機能構成図である。
【図２】(a)は、実施の形態に係る携帯電話機からアクセスポイントへ送出する接続要求データの構成例を示す図である。(b)は、実施の形態に係る呼制御サーバに記憶されている登録情報テーブルの構成例を示す図である。(c)は、実施の形態に係るアクセスポイントAP(A)が記憶している接続情報テーブルの構成例を示す図である。
【図３】携帯電話機１００及びアクセスポイントの動作フローを示す図である。
【図４】携帯電話機１００及びアクセスポイントの動作フローを示す図である。
【図５】実施の形態に係る通信ネットワークの例を示す図である。
【符号の説明】
【００５８】
１００  携帯電話機
１１０  入力受付部
１２０  記憶部
１３０  通信部
１４０  音声処理部
１５０  無線通信部
１６０  制御部
１６１  通信制御部
１６２  ＡＰ選択部
１６３  接続要求部
１６４  音声パケット変換部
２００  アクセスポイント
２１０  記憶部
２２０  無線通信部
２３０  IPネットワーク通信部
２４０  制御部
【図１】
0004740782.tif 000002
【図２】
0004740782.tif 000003
【図３】
0004740782.tif 000004
【図４】
0004740782.tif 000005
【図５】
0004740782.tif 000006